(57)【特許請求の範囲】
【請求項１】
カメラの視野角を変更可能にしたカメラ付きドアホン子器であって、前記カメラを取り付けたレンズホルダーが、本体カバー体に枢着されており、
前記カメラの視野角を調整する、スライド式のレンズ角度調整レバーが、前記本体カバー体の側面に設けられており、
前記レンズ角度調整レバーには、スライド方向に対して、斜めに形成された長孔が設けられており、
その長孔内には、レンズホルダーの起立壁の表面に形成された環状の回転軸の一端面であって、且つ、前記回転軸の中心から外方に離れた偏心位置に突出するように設けられた角度調整軸が嵌入されており、
前記レンズ角度調整レバーをスライドさせると、このスライド運動が、レンズホルダーが回転運動して、前記カメラの視野角を調整できるようになっている、カメラ付きドアホン子器。
【請求項２】
カメラの視野角を変更可能にしたカメラ付きドアホン子器であって、
前記カメラを駆動する電装品が実装された回路基板と、
前記回路基板に固定され、前記カメラが取り付けられたレンズホルダーと、
前記レンズホルダーの角度を調整するレンズ角度調整レバーと、
少なくとも、前記カメラ、前記回路基板、前記レンズホルダー及び前記レンズ角度調整レバーを収容する本体カバー部と備え、
前記本体カバー部は、その側面に回転軸穴を有し、且つ、前記回転軸穴の外方にスリット孔を備えて構成されており、
前記レンズホルダーは、前記本体カバー部に設けられた回転軸穴に回転可能に嵌る環状に形成された回転軸と、
前記環状に形成された回転軸の一端面であって、且つ、前記回転軸の中心から外方に離れた位置に、突出するように設けられた角度調整軸とを備え、
前記レンズ角度調整レバーは、前記本体カバー部に設けられたスリット孔内に収容される調整レバー本体部と、
前記調整レバー本体部の一側面から、概ね直角方向に突出するように設けられた台座部と、
前記調整レバー本体部の一側面から、前記台座部とは逆方向に突出するように設けられた、操作レバー片と、
前記調整レバー本体部に、前記台座部に対して、斜め方向に設けられた長孔とを備え、
前記レンズ角度調整レバーは、前記台座部が、前記本体カバー部の一側面に設けられ、前記スリット孔に沿って形成されたスライド部上を摺動可能なように、前記本体カバー部に取り付けられ、且つ、前記調整レバー本体部に斜め方向に設けられた長孔内に、前記レンズホルダーの回転軸の一端面に設けられた角度調整軸が嵌入されている、カメラ付きドアホン子器。
【請求項３】
前記本体カバー部が、表面側本体カバー部であることを特徴とする、請求項１又は請求項２に記載のカメラ付きドアホン子器。
【請求項４】
前記調整レバー本体部は、更に、その一側面から上方に突出するように設けられた嵌合突起を備え、
前記本体カバー部の上面に設けられているカメラ穴を覆うカメラカバーの、前記本体カバー部の一側面に設けられたスライド部に向き合う端部には、前記嵌合突起が嵌合可能な複数のギザギザ形状の、複数の嵌合凹部列が設けられ、複数の嵌合凹部列の任意の嵌合凹部に、前記嵌合突起が嵌合するようになっている、請求項３に記載のカメラ付きドアホン子器。
【請求項５】
請求項１〜４のいずれかに記載のカメラ付きドアホン子器を組み込んだ、カメラ付きインターホンシステム。
【発明の詳細な説明】
【０００１】
【発明の属する技術分野】
本発明は、カメラの視野角調整が可能なカメラ付きドアホン子器及びカメラ付きインターホンシステムに関し、組立が容易で且つカメラの視野角の角度調整をスライド方式で極めて簡単に行える、カメラ付きドアホン子器、及び、そのようなカメラ付きドアホン子器が組み込まれた、カメラ付きインターホンシステムに関する。
【０００２】
【従来の技術】
近時、一戸立て住宅や、集合住宅、テナントビル等には、防犯上の対策から、インターホンシステムが設置されている。
中でも、カメラ付きインターホンシステムは、入居者等が住戸内に居ながら、玄関先に設けられている来訪者の顔を、住戸内に設けられている住宅情報盤のモニターテレビで確認できるため、不審者を、住戸内に入れる危険が無いため、防犯上非常に優れている。
【０００３】
ところで、カメラ付きインターホンシステムでは、住宅情報盤のモニターテレビに、玄関先に設けられている来訪者の顔を映し出すためには、玄関先に設置されるカメラ付きドアホン子器の取付高さや、カメラの視野角を適切に調整する必要があり、近時、カメラの視野角を調整できるようにしたカメラ付きドアホン子器が種々提案されている。
【０００４】
図１３は、そのような、従来のカメラ付きドアホン子器の外観を概略的に示す斜視図であり、また、図１４は、図１３に示す、カメラ付きドアホン子器の化粧パネルの一部を取り去った状態を概略的に示す平面図である。
従来のカメラ付きドアホン子器１０１は、化粧パネル１０２と、ドアホン子器１０１を動作させる電装品が収容された本体カバー部１０３とを備える。
【０００５】
化粧パネル１０２には、呼出ボタン１０４や、マイク１０５や、スピーカ１０６や、カメラ窓１０７等が設けられており、カメラ窓１０７内には、カメラ（図示せず。）が設けられ、カメラ窓１０７には、カメラ（図示せず。）を保護する透明なカメラカバー１０８が設けられている。
このカメラ付きドアホン子器１０１を、玄関先に取り付ける際には、玄関先の取付壁面の所定の取付位置に、取付穴を形成し、本体カバー部１０３をこの取付穴内に収容し、化粧パネル１０２を取付壁面に、ビス等の固定手段を用いて取り付ける。
【０００６】
次に、このカメラ付きドアホン子器１０１のカメラのレンズ角度調整装置（視野角調整装置）の構成について説明する。
図１５は、図１３に示す、カメラ付きドアホン子器のレンズ角度調整装置（視野角調整装置）を中心にして概略的に示す縦断面図であり、化粧パネル１０２を取り去った状態を示している。
【０００７】
また、図１６は、図１３に示す、カメラ付きドアホン子器の視野角調整装置を中心にして概略的に示す横断面図である。
このカメラ付きドアホン子器１０１では、本体カバー部１０３は、表面側本体カバー部１０３ａと、裏面側本体カバー部１０３ｂとにより構成されている。
本体カバー部１０３内には、レンズ角度調整装置（視野角調整装置）１１１が内蔵されている。
【０００８】
レンズ角度調整装置（視野角調整装置）１１１は、カメラ１１２と、カメラ１１２を固定するカメラ固定台１１３と、台座部１１４とを備える。
台座部１１４は、裏面側本体カバー部１０３ｂに固定されており、カメラ固定台１１３を回転可能に取り付ける回転軸穴１１４ｈを有する。
カメラ固定台１１３は、台座部１１４に設けられた回転軸穴１１４ｈに回転可能に嵌り合う回転軸１１３ａを備えており、回転軸１１３ａが、回転軸穴１１４に嵌め合わせられることで、台座部１１４に、回転可能に取り付けられている。
【０００９】
また、台座部１１４の上部１１４ｕとカメラ固定台１１３の上部１１３ｕとの間には、バネ１１５により連結されており、このバネ１１５の付勢力（弾性復元力）により、台座部１１４の上部１１４ｕとカメラ固定台１１３の上部１１３ｕとの間の間隔Ｄ１が、常時、長くなるようにされている。
また、カメラ固定台１１３は、下方延出部１１３ｄを有している。
【００１０】
下方延出部１１３ｄの表面には、ナット部材１１６が設けられている
また、表面側本体カバー部１０３ａの所定の位置には、ボルト挿通孔１０３ｈが形成されており、このボルト挿通孔１０３ｈには、ボルト１１７が挿通されている。そして、ボルト１１７は、ナット部材１１６に螺合されている。
次に、このカメラ付きドアホン子器１０１のカメラ１１２の視野角を調整する方法について説明する。
【００１１】
図１５に示されているカメラ１１２の視野角を下方に向けたい場合には、ボルト１１７のヘッドにドライバーを差し込んで、ナット部材１１６に対して、ボルト１１７を緩める方向に、ドライバーを回転させる。すると、この場合には、ボルト１１７とナット部材との間の間隔Ｄ２が長くなるので、バネ１１５がその付勢力（弾性復元力）により延びることで、カメラ１１２の視野角が下方に移動する。
【００１２】
また、図１５に示されているカメラ１１２の視野角を上方に向けたい場合には、ボルト１１７のヘッドにドライバーを差し込んで、ナット部材１１６に対して、ボルト１１７を締める方向に、ドライバーを回転させる。すると、この場合には、ボルト１１７とナット部材との間の間隔Ｄ２が短くなるので、バネ１１５が縮むことで、カメラ１１２の視野角が上方に移動する。
【００１３】
尚、図１６中、１１８で示す部材は、カメラ１１２を動作させる電装品が実装された回路基板を示している。
【００１４】
【発明が解決しようとする課題】
しかしながら、このカメラ付きドアホン子器１０１では、カメラ１１２の視野角を調整する部材として、カメラ固定台１１３や、台座部１１４や、バネ１１５や、ナット部材１１６や、ボルト１１７等が必要であり、カメラ１１２の視野角を調整する部材の部品点数が多いという問題がある。
【００１５】
また、バネ１１５の一端を、台座部１１４の上部１１４ｕとカメラ固定台１１３の上部１１３ｕとの間に橋渡しすように設けるためには、一々、台座部１１４の上部１１４ｕに設けられたバネ挿入孔に挿入した後、この一端が、バネ挿入孔から抜け落ちるのを防止するために折り曲げしたり、バネ１１５の他端を、カメラ固定台１１３の上部１１３ｕに設けられたバネ挿入孔に挿入した後、この他端が、バネ挿入孔から抜け落ちるのを防止するために折り曲げしたりしなければならない上に、バネ１１５の付勢力が加わったり、バネ１１５自体が変形しやすいこと等が原因したり、また、台座部１１４を裏面側本体カバー部１０３ｂに固定する必要がある等が原因して、カメラ付きドアホン子器１０１の組立作業が難しいという問題があった。
【００１６】
また、このカメラ付きドアホン子器１０１では、組立作業において、裏面側本体カバー部１０３ｂに台座部１１４を固定する裏面側本体カバー部側の作業と、表面側本体カバー部のボルト挿通孔１０３ｈからのボルト１１７の挿通作業という表面側本体カバー部側の作業とを必要とし、カメラ付きドアホン子器１０１の組立作業が難しいという問題もあった。
【００１７】
更には、部品点数が多いといったようなことや、組立作業が難しいという問題が原因して、製造コストが高くなるという問題があり、部品点数が少なく、組立作業も簡単な、低コストで製造可能な、カメラの角度調整機能付きの、カメラ付きドアホン子器の開発が望まれていた。
また、施工業者の立場からは、カメラ１１２の視野角を調整するためには、ドライバーが必要であり、且つ、ボルト１１７を回転させるという方法では、カメラ１１２の視野角の角度がどれだけ移動したかが、ボルト１１７の回転数によって特定されるため、視覚的に、カメラ１１２の視野角がどれだけ移動したかを特定し難いという問題があり、カメラ１１２の視野角を調整する際に、ドライバーを必要とせず、手指で簡単に調整でき、しかも、カメラ１１２の視野角がどれだけ移動したかを、施工業者が視覚的にはっきりと把握できる、スライド方式の調整つまみを有する、カメラの角度調整機能付きの、カメラ付きドアホン子器の開発が望まれていた。
【００１８】
本発明は、以上のような問題を解決するためになされたものであって、カメラの角度調整装置を構成する部品点数が少なく、カメラ付きドアホン子器の組立作業が簡単で、施工業者が、カメラの視野角を調整する際に、ドライバーを必要とせず、手指のみで、カメラの視野角を調整することができるとともに、カメラの視野角がどれだけ移動したかを、施工業者が視覚的にはっきりと把握できる、スライド方式の調整つまみを有する、カメラの角度調整機能付きの、カメラ付きドアホン子器、及び、そのようなカメラ付きドアホン子器が組み込まれたカメラ付きインターホンシステムを提供することを目的としている。
【００１９】
【課題を解決するための手段】
請求項１に記載のカメラ付きドアホン子器は、カメラの視野角を変更可能にしたカメラ付きドアホン子器であって、カメラを取り付けたレンズホルダーが、本体カバー体に枢着されており、カメラの視野角を調整する、スライド式のレンズ角度調整レバーが、本体カバー体の側面に設けられており、レンズ角度調整レバーには、スライド方向に対して、斜めに形成された長孔が設けられており、その長孔内には、レンズホルダーの起立壁の表面に形成された環状の回転軸の一端面であって、且つ、前記回転軸の中心から外方に離れた偏心位置に突出するように設けられた角度調整軸が嵌入されており、レンズ角度調整レバーをスライドさせると、レンズホルダーが回転運動して、カメラの視野角を調整できるようになっている。
【００２０】
このカメラ付きドアホン子器では、レンズ角度調整レバーの操作レバー片をスライド移動させると、調整レバー本体部に斜め方向に設けられた長孔内に嵌め合わされている、レンズホルダーの回転軸の一端面に、回転軸の中心から外方に離れた位置に、突出するように設けられた角度調整軸が長孔内を移動することで、操作レバー片のスライド移動が、レンズホルダーの回転軸の回転運動に変換される。
【００２１】
従って、施工業者等は、ドライバー等を使用することなく、レンズ角度調整レバーの操作レバー片を手指でもって、スライド移動させるという簡単な作業で、カメラの視野角の調整ができる。
請求項２に記載のカメラ付きドアホン子器は、カメラの視野角を変更可能にしたカメラ付きドアホン子器であって、カメラを駆動する電装品が実装された回路基板と、回路基板に固定され、カメラが取り付けられたレンズホルダーと、レンズホルダーの角度を調整するレンズ角度調整レバーと、少なくとも、カメラ、回路基板、レンズホルダー及びレンズ角度調整レバーを収容する本体カバー部と備え、本体カバー部は、その側面に回転軸穴を有し、且つ、回転軸穴の外方にスリット孔を備えて構成されており、レンズホルダーは、本体カバー部に設けられた回転軸穴に回転可能に嵌る環状に形成された回転軸と、前記環状に形成された回転軸の一端面であって、且つ、回転軸の中心から外方に離れた位置に、突出するように設けられた角度調整軸とを備え、レンズ角度調整レバーは、本体カバー部に設けられたスリット孔内に収容される調整レバー本体部と、調整レバー本体部の一側面から、概ね直角方向に突出するように設けられた台座部と、調整レバー本体部の一側面から、台座部とは逆方向に突出するように設けられた、操作レバー片と、調整レバー本体部に、台座部に対して、斜め方向に設けられた長孔とを備え、レンズ角度調整レバーは、台座部が、本体カバー部の一側面に設けられ、スリット孔に沿って形成されたスライド部上を摺動可能なように、本体カバー部に取り付けられ、且つ、調整レバー本体部に斜め方向に設けられた長孔内に、レンズホルダーの回転軸の一端面に設けられた角度調整軸が嵌入されている。
【００２２】
このカメラ付きドアホン子器では、レンズ角度調整レバーの操作レバー片をスライド移動させると、調整レバー本体部に斜め方向に設けられた長孔内に嵌め合わされている、レンズホルダーの回転軸の一端面に、回転軸の中心から外方に離れた位置に、突出するように設けられた角度調整軸が長孔内を移動することで、操作レバー片のスライド移動が、レンズホルダーの回転軸の回転運動に変換される。
【００２３】
従って、施工業者等は、ドライバー等を使用することなく、レンズ角度調整レバーの操作レバー片を手指でもって、スライド移動させるという簡単な作業で、カメラの視野角の調整ができる。
また、施工業者等は、カメラの視野角の移動量を、ドライバー等の回転数ではなく、操作レバー片のスライド移動量という、視覚的に把握が容易な方法で知ることができるので、カメラの視野角の調整を視覚を通じて極めて簡単に行える。
【００２４】
また、このカメラ付きドアホン子器では、レンズ角度調整装置として、特有な部材は、レンズ角度調整レバーだけであるので、レンズ角度調整装置の部品点数を少なくすることができる。
更に、このカメラ付きドアホン子器のレンズ角度調整装置の構成部品中には、部材への取付けが困難なバネが含まれていないため、カメラ付きドアホン子器の組立作業を簡単に行うことができる。
【００２５】
更に、このカメラ付きドアホン子器では、レンズ角度調整装置の部品点数を少なくすることができ、しかも、組立作業を簡単に行うことができる結果、カメラ付きドアホン子器の製造コストを低く抑えることができる。
請求項３に記載のカメラ付きドアホン子器は、請求項１又は請求項２に記載のカメラ付きドアホン子器の、本体カバー部が、表面側本体カバー部であることを特徴とする。
【００２６】
このカメラ付きドアホン子器では、内蔵する、カメラのレンズ角度調整装置の組立を、表面側本体カバー部のみの作業で行えるため、組立作業を極めて簡単に行える。
請求項４に記載のカメラ付きドアホン子器は、請求項３に記載のカメラ付きドアホン子器の、調整レバー本体部は、更に、その一側面から上方に突出するように設けられた嵌合突起を備え、記本体カバー部の上面に設けられているカメラ穴を覆うカメラカバーの、本体カバー部の一側面に設けられたスライド部に向き合う端部には、嵌合突起が嵌合可能な複数のギザギザ形状の、複数の嵌合凹部列が設けられ、複数の嵌合凹部列の任意の嵌合凹部に、前記嵌合突起が嵌合するようになっている。
【００２７】
このカメラ付きドアホン子器では、施工業者等が、手指により、レンズ角度調整レバーの操作レバー片をスライド移動させ、操作レバー片から手指を離せば、カメラカバーの複数の嵌合凹部列のいずれか嵌合凹部に、レンズ角度調整レバーの嵌合突起が嵌合するため、カメラの視野角の調整後、カメラの視野角が勝手に変わるといったような事態が生じない。
【００２８】
請求項５に記載のカメラ付きインターホンシステムは、請求項１〜４のいずれかに記載のカメラ付きドアホン子器を組み込んでいる。
このカメラ付きインターホンシステムでは、請求項１〜４のいずれかに記載のカメラ付きドアホン子器を組み込んでいるので、安価に製造でき、且つ、施工業者にとっては、ドアホン子器のカメラの角度調整を、レンズ角度調整レバーをスライド移動させるという簡単な作業で行える。
【００２９】
このカメラ付きインターホンシステムは、以上のような優れた商品特性を有しているため、商品価値が極めて高い。
【００３０】
【発明の実施の形態】
図１は、本発明に係るカメラ付きドアホン子器の要部である、カメラのレンズ角度調整装置（視野角調整装置）の要部構成を概略的に示す分解斜視図である。
また、図２は、本発明に係るカメラ付きドアホン子器の外観を概略的に示す斜視図であり、また、図３は、図２に示す、カメラ付きドアホン子器を概略的に示す分解斜視図であり、化粧パネルを取り去った状態を概略的に示している。
【００３１】
このカメラ付きドアホン子器１は、化粧パネル２と、ドアホン子器１を動作させる電装品が収容された本体カバー部３とを備える。
化粧パネル２には、呼出ボタン４や、マイク５や、スピーカ６や、カメラ窓７等が設けられており、カメラ窓７内には、カメラ（図示せず。）が設けられ、カメラ窓７には、カメラ（図示せず。）を保護する透明なカメラカバー８が設けられている。
【００３２】
以上の構成は、従来のカメラ付きドアホン子器１０１と同様である。
しかしながら、このカメラ付きドアホン子器１では、カメラのレンズ角度調整装置（視野角調整装置）の構成が、従来のカメラ付きドアホン子器１０１の視野角調整装置の構成と著しく異なっているので、以下に、そのような構成及び視野角調整方法を詳しく説明する。
【００３３】
図４は、カメラ付きドアホン子器１の化粧パネル２を取り除いた状態を概略的に示す斜視図であり、また、図５は、カメラ付きドアホン子器１の化粧パネル２を取り除いた状態を概略的に示す平面図である。
尚、図４では、カメラカバー８を想像線で示しており、また、図５は、カメラカバー８を取り除いた状態を示している。
【００３４】
このカメラ付きドアホン子器１では、本体カバー部３は、表面側本体カバー部３ａと、裏面側本体カバー部３ｂとにより構成されている。
本体カバー部３内には、レンズ角度調整装置（視野角調整装置）１１が内蔵されている。
レンズ角度調整装置（視野角調整装置）１１は、カメラ１２と、カメラ１２を駆動する電装品が実装された回路基板１８と、回路基板１８に固定され、カメラ１２が取り付けられたレンズホルダー２１と、レンズホルダー２１の角度を調整するレンズ角度調整レバー３１と、本体カバー部３、より特定的には、表面側本体カバー部３ａと、カメラカバー８とを備える。
【００３５】
尚、Ｓ３ａで示す部材は、表面側本体カバー部３ａの表面を示しており、この例では、表面Ｓ３ａには、カメラ１２用の開口部ｈ１が設けられており、この表面Ｓ３ａの裏面側に設けられている、レンズホルダー２１上に固定された、カメラ（レンズ部）１２が、開口部ｈ１を通じて、外部側へ露呈するようになっている。尚、図５中、ｈ２は、表面側本体カバー部３ａの表面Ｓ３ａに設けられた、開口部を示している。そして、この開口部ｈ２の縁には、表面Ｓ３ａから化粧パネル（図２に示す化粧パネル２）方向に起立したリブ壁Ｗ１が形成されている。
【００３６】
また、ｈ３は、表面側本体カバー部３ａに設けられた、スリット孔を示しており、スリット孔ｈ３内には、レンズ角度調整レバー３１が挿入されており、レンズ角度調整レバー３１は、このスリット孔ｈ３に沿って、レンズ角度調整レバー３１が摺動（スライド）できるようになっている。
また、ｈ４は、表面側本体カバー部３ａの表面Ｓ３ａに設けられた、開口部を示している。そして、この開口部ｈ２の周縁には、開口部ｈ２を取り囲むように、表面Ｓ３ａから化粧パネル（図２に示す化粧パネル２）方向に起立したリブ壁Ｗ２が形成されている。
【００３７】
また、表面側本体カバー部３ａの一側面（この例では、スリット孔ｈ３より内側の位置に、表面Ｓ３ａ側から裏面側本体カバー部３ｂ方向に向かう側面Ｐ１）には、レンズホルダー２１の一端に設けられている起立壁Ｗ２１ａに形成されている回転軸（図６に示す回転軸２１ａ）が回転可能に嵌め合わせ可能に設けられた回転軸穴（図示せず。）が設けられている。
【００３８】
また、表面側本体カバー部３ａの表面Ｓ３ａには、リブ壁Ｗ２から延出され、表面Ｓ３ａから裏面側本体カバー部３ｂ方向に向かうように設けられた突起Ｐ２が一体成形されており、突起Ｐ１には、レンズホルダー２１の他端に設けられている起立壁（図６に示す起立壁Ｗ２１ｂ）に設けられている回転軸２１ｂが回転可能に且つ嵌め合わせ可能に設けられた回転軸穴（図示せず。）が設けられている。
【００３９】
次に、レンズホルダー２１の構成、レンズ角度調整レバー３１の構成、及び、カメラカバー８の構成の各々について、説明する。
図６は、レンズ角度調整装置（視野角調整装置）１１の構成を更に詳しく説明する、概略的な分解斜視図であり、表面側本体カバー部３ａ内から、回路基板１８、及び、この回路基板１８に固定されているレンズホルダー２１を取り出し、また、表面側本体カバー部３ａのスリット孔ｈ３から、レンズ角度調整レバー３１を取り出した状態を示している。
【００４０】
レンズホルダー２１は、底板部２１ｃと、底板部２１ｃの両端から、カメラカバー８方向に立設する一対の起立壁Ｗ２１ａ、Ｗ２１ｂを備える。
起立壁Ｗ２１ａの、底板部２１ｃ側に対向する表面には、回転軸２１ａが形成されている。また、起立壁Ｗ２１ｂの、底板部２１ｃ側に対向する表面には、回転軸２１ｂが形成されている。
【００４１】
起立壁Ｗ２１ａの表面に設けられた回転軸２１ａには、図１に示すように、回転軸２１ａの一端面に、回転軸２１ａの中心から外方に離れた位置（いわゆる偏心位置）に、角度調整軸２２が突出するように設けられている。レンズ角度調整レバー３１は、図１に示すように、本体カバー部３（より特定的には、表側本体カバー部３ａ）に設けられたスリット孔ｈ３内に収容される調整レバー本体部３２と、調整レバー本体部３２の一側面から、概ね直角方向に突出するように設けられた台座部３５、３５と、調整レバー本体部３２の一側面から、台座部３５、３５とは逆方向に突出するように設けられた、操作レバー片３３と、調整レバー本体部３２に、台座部３５、３５に対して、斜め方向に設けられた長孔ｈ５とを備える。
【００４２】
次に、カメラ付きドアホン子器１の組立工程を、レンズ角度調整装置（視野角調整装置）１１を組み立てる組立工程を中心にして、例示的に説明する。
まず、本体カバー部３（より特定的には、表側本体カバー部３ａ）と、カメラ１２と、カメラ１２を動作させる電装品が実装された回路基板１８と、レンズホルダー２１と、レンズ角度調整レバー３１とを準備する。
【００４３】
次に、カメラ１２を、レンズホルダー２１に取り付ける。
また、レンズホルダー２１を回路基板１８に取り付ける。
以上の工程では、カメラ１２とレンズホルダー２１との機械的な結合、レンズホルダー２１と回路基板１８との機械的な結合のみならず、カメラ１２と回路基板１８との電気的な接続もなされる。
【００４４】
次に、本体カバー部３（より特定的には、表側本体カバー部３ａ）に設けられている、スリット孔ｈ３内に、レンズ角度調整レバー３１の調整レバー本体部３２を収容するとともに、レンズ角度調整レバー３１に設けられている台座部３５、３５を、スリット孔ｈ３に沿って形成されているスライド部（図示せず。）上に
載置する。これにより、レンズ角度調整レバー３１は、スリット孔ｈ３に沿って形成されているスライド部（図示せず。）に沿って、摺動（スライド）可能な状態になる（以上については、図１中、一点鎖線で示す、レンズ角度調整レバー３１の本体カバー部３（より特定的には、表側本体カバー部３ａ）への取付状態を参照）。
【００４５】
次に、本体カバー部３（より特定的には、表側本体カバー部３ａ）の表面Ｓ３ａの裏面側から、カメラ１２と回路基板１８とを固定した、レンズホルダー２１を、本体カバー部３（より特定的には、表側本体カバー部３ａ）の表面Ｓ３ａに設けられた開口部ｈ２から、レンズホルダー２１の起立壁Ｗ２１ａを突出させ、本体カバー部３（より特定的には、表側本体カバー部３ａ）の側面Ｐ１に形成されている、回転軸穴ｈ６に、起立壁Ｗ２１ａの表面に形成されている回転軸２１ａを嵌め合わせる。且つ、この操作と同時に、回転軸２１ａの一端面に、回転軸２１ａの中心から外方の位置（偏心位置）に設けられている、角度調整軸２２を、レンズ角度調整レバー３１に設けられている長孔ｈ５に嵌め合わせる（以上については、図１に２点鎖線で示す、レンズ角度調整レバー３１及び本体カバー部３（より特定的には、表側本体カバー部３ａ）への、レンズホルダー２１の取付状態を参照）。
【００４６】
また、図５に示すように、レンズホルダー２１の起立壁Ｗ２１ａに設けられている回転軸２１ｂを、本体カバー部３（より特定的には、表側本体カバー部３ａ）の表面Ｓ３ａから、表側本体カバー部３ａ方向に向かうように設けられた突起Ｐ２に設けられている回転軸穴（図示せず。）に嵌め合わせる。
以上により、レンズ角度調整レバー３１は、台座部３５、３５が、本体カバー部３（より特定的には、表側本体カバー部３ａ）の一側面に設けられ、スリット孔ｈ３に沿って形成されたスライド部（図示せず。）上を摺動（スライド）可能なように、本体カバー部３（より特定的には、表側本体カバー部３ａ）に取り付けられる。
【００４７】
且つ、レンズ角度調整レバー３１の調整レバー本体部３２に斜め方向に設けられた長孔ｈ５内に、レンズホルダー２１の回転軸２１ａの一端面に設けられた角度調整軸２２が嵌入さる。
また、カメラ１２が、本体カバー部３（より特定的には、表側本体カバー部３ａ）の表面Ｓ３ａに設けられた、カメラ１２用の開口部ｈ１内に収容される。
【００４８】
次に、本体カバー部３（より特定的には、表側本体カバー部３ａ）のカメラ窓７に、カメラカバー８を嵌め合わせる。
図７は、このカメラ付きドアホン子器１に用いられているカメラカバー８を概略的に示す図であり、図７（ａ）は、カメラカバー８の全体を概略的に示す斜視図を、また、図７（ｂ）は、図７（ａ）中、Ａで示す円で囲った部分を拡大して概略的に示す斜視図である。
【００４９】
又、図８は、カメラカバー８と、レンズ角度調整レバー３１との嵌合構造を概略的に説明する説明図である。
このカメラカバー８は、これらの図に示すように、本体カバー部３の一側面（裏面）に設けられたスライド孔ｈ３に沿って設けられたスライド部（図示せず。）に向き合う端部には、長尺な突状体８ａが設けられ、突状体８ａの表面（下面）には、レンズ角度調整レバー３１に設けられた嵌合突起３４が嵌合可能な複数のギザギザ形状の、複数の嵌合凹部列ｎが設けられている。
【００５０】
これにより、カメラカバー８を、本体カバー部３（より特定的には、表側本体カバー部３ａ）のカメラ窓７に嵌め合わせると、図８に示すように、複数の嵌合凹部列ｎの任意の嵌合凹部に、嵌合突起３４が嵌合するようになる。
以上の作業が終了すれば、図３に示すように、本体カバー部３と、化粧パネル２とが組にされ、商品とされる。
【００５１】
次に、このカメラ付きドアホン子器１を、玄関先に取り付ける取付作業について説明する。
このカメラ付きドアホン子器１を、玄関先に取り付ける取り付ける際には、玄関先の取付壁面の所定の取付位置に、取付穴を形成し、本体カバー部３をこの取付穴内に収容し、化粧パネル２を取付壁面に、ビス等の固定手段を用いて取り付ける。
【００５２】
このカメラ付きドアホン子器１の取付壁面への取付作業自体は、従来のカメラ付きドアホン子器１０１の取付壁面への取付作業と何ら変わるところはない。
しかしながら、このカメラ付きドアホン子器１では、カメラのレンズ角度調整方法（視野角調整方法）が、従来のカメラ付きドアホン子器１０１の視野角調整方法と著しく異なっているので、以下に、そのような構成及び視野角調整方法を詳しく説明する。
【００５３】
図９〜図１０の各図は、カメラ付きドアホン子器１のカメラ１２の視野角を調整する方法を概略的に説明する説明図である。
図９は、カメラ付きドアホン子器１のカメラ１２の視野角が概ね正面を向いている状態を示している。
カメラ付きドアホン子器１のカメラ１２の視野角を調整する際には、まず、化粧パネル（図２に示す化粧パネル２）を取り外す。
【００５４】
尚、カメラ付きドアホン子器１では、図９に示すように、カメラ１２を固定するレンズホルダー２１は、レンズ角度調整レバー３１に設けられた嵌合突起３４と、本体カバー部３の一側面（裏面）に設けられたギザギザ形状の、複数の嵌合凹部列ｎのいずれかの嵌合凹部との嵌合により、しっかりと固定されているので、勝手に、カメラの視野角が変わってしまうといったような事態は、一切生じない。
【００５５】
このカメラ付きドアホン子器１のカメラ１２の視野角を、図１０に示すように、上方向に調整する場合には、施工業者は、レンズ角度調整レバー３１の調整レバー本体部３２を手指で抑えて、上方向にスライドさせる。
このカメラ付きドアホン子器１では、レンズ角度調整レバー３１の操作レバー片３３をスライドさせると、調整レバー本体部３２に斜め方向に設けられた長孔ｈ５内に嵌めあわされている、レンズホルダー２１の回転軸２１ａの一端面に、回転軸２１ａの中心から外方に離れた位置に、突出するように設けられた角度調整軸２２が長孔ｈ５内を移動することで、操作レバー片３３のスライド移動が、レンズホルダー２１の回転軸２１ａの回転運動に変換される。
【００５６】
これにより、レンズ角度調整レバー３１の操作レバー片３３を手指でもって、スライドを上方に移動させるという簡単な作業で、カメラ１２の視野角を上方向に調整できる。
また、このカメラ付きドアホン子器１のカメラ１２の視野角を、図１１に示すように、下方向に調整する場合には、施工業者は、レンズ角度調整レバー３１の調整レバー本体部３２を手指で抑えて、下方向にスライドさせる。
【００５７】
この場合にも、レンズ角度調整レバー３１の操作レバー片３３を下方にスライド移動させた場合と同様の原理で、操作レバー片３３のスライド移動が、レンズホルダー２１の回転軸２１ａの回転運動に変換される。
これにより、レンズ角度調整レバー３１の操作レバー片３３を手指でもって、スライドを下方に移動させるという簡単な作業で、カメラ１２の視野角を下方向に調整できる。
【００５８】
従って、施工業者等は、ドライバー等を使用することなく、レンズ角度調整レバー３１の操作レバー片３３を手指でもって、上方向又は下方向にスライド移動させるという簡単な作業で、カメラ１２の視野角を上方向に調整できる。
また、このカメラ付きドアホン子器１は、レンズ角度調整装置の構成部品の部品点数が少なく、且つ、構成部品中に、部材への取付けが困難なバネが含まれていないため、カメラ付きドアホン子器の組立作業を簡単に行うことができる。
【００５９】
これにより、このカメラ付きドアホン子器１は、組立作業を簡単に行うことができる結果、カメラ付きドアホン子器の製造コストを低く抑えることができる。
図１２は、このカメラ付きドアホン子器１・・・を組み込んだ、カメラ付きインターホンシステムを概略的に示す全体構成図であり、この例では、集合住宅に、本発明に係るカメラ付きインターホンシステムを設置した例を示している。
【００６０】
このカメラ付きインターホンシステム５１は、住戸Ｒ・・・玄関先の各々には、ドアホン子器１・・・が設置され、各住戸Ｒ・・・内には、モニターテレビ付き住宅情報盤５２・・・が設置され、共同玄関の玄関先には、カメラ付きロビーインタホン５３が設置され、また、管理人室等には、警報監視盤５４が設置され、これらが信号線で接続された構成になっている。
【００６１】
これにより、警報監視盤５４と住宅情報盤５２・・・との間や、各住戸Ｒ・・・に設けられている、ドアホン子器１と住宅情報盤５２との間や、ロビーインタホン５３と、各住戸に設けられている住宅情報盤５２・・・との間で通話や、各種の信号のやりとりができるようになっている。
また、この例では、インターホンシステム５１では、共同玄関扉の電気錠５５の施解錠の制御も可能にされている。
【００６２】
即ち、住宅情報盤５２・・・から、電気錠５５を解錠する解錠信号を入力したり、ロビーインタホン５３から正しい暗証番号を入力すると、電気錠５５が所定時間解錠状態になり、来訪者や入居者等が、共同玄関扉から集合住宅の共同ロビー内へ入ることができるようにされている。尚、この電気錠５５は、所定時間内に共同玄関扉の開閉があった場合には、所定時間内であっても、共同玄関扉が一度開き、再び閉められた時点で、解錠状態から施錠状態になるようにされている。
【００６３】
尚、図１２中、５５で示す部材装置は、電気錠５５の施解錠を制御する電気錠制御盤を、５６で示す部材装置は、カメラ付きロビーインターホン５３のカメラが撮像した映像等の信号処理を行う、映像制御盤を示している。
このようなインターホンシステムは、一般に、防犯上優れたものであるが、更に、このインターホンシステム５１では、カメラ付きドアホン子器を組み込んでいるので、安価に製造でき、且つ、施工業者にとっては、ドアホン子器のカメラの角度調整を、レンズ角度調整レバーをスライド移動させるという簡単な作業で行えるという優れた商品特性を有しているため、他のインターホンシステムに比べ、商品価値が高い。
【００６４】
【発明の効果】
以上、詳細に説明したように、請求項１又は請求項２に記載のカメラ付きドアホン子器では、レンズ角度調整レバーの操作レバー片をスライド移動させると、調整レバー本体部に斜め方向に設けられた長孔内に嵌めあわされている、レンズホルダーの回転軸の一端面に、回転軸の中心から外方に離れた位置に、突出するように設けられた角度調整軸が長孔内を移動することで、操作レバー片をスライド移動が、レンズホルダーの回転軸の回転運動に変換される。
【００６５】
従って、施工業者等は、ドライバー等を使用することなく、レンズ角度調整レバーの操作レバー片を手指でもって、スライド移動させるという簡単な作業で、カメラの視野角の調整ができる。
更に、請求項２に記載のカメラ付きドアホン子器では、レンズ角度調整装置として、特有な部材は、レンズ角度調整レバーだけであるので、レンズ角度調整装置の部品点数を少なくすることができる。また、このカメラ付きドアホン子器のレンズ角度調整装置の構成部品中には、部材への取付けが困難なバネが含まれていないため、カメラ付きドアホン子器の組立作業を簡単に行うことができる。
【００６６】
このように、このカメラ付きドアホン子器では、レンズ角度調整装置の部品点数を少なくすることができ、しかも、組立作業を簡単に行うことができる結果、カメラ付きドアホン子器の製造コストを低く抑えることができる。
請求項３に記載のカメラ付きドアホン子器では、内蔵する、カメラのレンズ角度調整装置の組立を、表面側本体カバー部のみの作業で行えるため、組立作業を極めて簡単に行える。
【００６７】
請求項４に記載のカメラ付きドアホン子器では、施工業者等が、手指により、レンズ角度調整レバーの操作レバー片をスライド移動させ、操作レバー片から手指を離せば、カメラカバーの複数の嵌合凹部列のいずれか嵌合凹部に、レンズ角度調整レバーの嵌合突起が嵌合するため、カメラの視野角の調整後、カメラの視野角が勝手に変わるといったような事態が生じない。
【００６８】
請求項５に記載のカメラ付きインターホンシステムでは、請求項１〜４のいずれかに記載のカメラ付きドアホン子器を組み込んでいるので、安価に製造でき、且つ、施工業者にとっては、ドアホン子器のカメラの角度調整を、レンズ角度調整レバーをスライド移動させるという簡単な作業で行える。
このカメラ付きインターホンシステムは、以上のような優れた商品特性を有しているため、商品価値が極めて高い。
【図面の簡単な説明】
【図１】本発明に係るカメラ付きドアホン子器の要部である、カメラのレンズ角度調整装置の要部構成を概略的に示す分解斜視図である。
【図２】本発明に係るカメラ付きドアホン子器の外観を概略的に示す斜視図である。
【図３】図２に示す、カメラ付きドアホン子器を概略的に示す分解斜視図であり、化粧パネルを取り去った状態を概略的に示している。
【図４】図２に示す、カメラ付きドアホン子器の化粧パネルを取り除いた状態を概略的に示す斜視図である。
【図５】図２に示す、カメラ付きドアホン子器１の化粧パネル２を取り除いた状態を概略的に示す平面図である。
【図６】レンズ角度調整装置（視野角調整装置）の構成を更に詳しく説明する、概略的な分解斜視図であり、表面側本体カバー部内から、回路基板、及び、この回路基板に固定されているレンズホルダーを取り出し、また、表面側本体カバー部のスリット孔から、レンズ角度調整レバーを取り出した状態を示している。
【図７】本発明に係るカメラ付きドアホン子器に用いられているカメラカバーを概略的に示す図であり、図７（ａ）は、カメラカバーの全体を概略的に示す斜視図を、また、図７（ｂ）は、図７（ａ）中、Ａで示す円で囲った部分を拡大して概略的に示す斜視図である。
【図８】カメラカバーと、レンズ角度調整レバーとの嵌合構造を概略的に説明する説明図である。
【図９】カメラ付きドアホン子器１のカメラ１２の視野角を調整する方法を概略的に説明する説明図である。
【図１０】カメラ付きドアホン子器１のカメラ１２の視野角を調整する方法を概略的に説明する説明図である。
【図１１】カメラ付きドアホン子器１のカメラ１２の視野角を調整する方法を概略的に説明する説明図である。
【図１２】本発明に係るカメラ付きドアホン子器を組み込んだ、カメラ付きインターホンシステムを概略的に示す全体構成図である。
【図１３】従来のカメラ付きドアホン子器の外観を概略的に示す斜視図である。
【図１４】図１３に示す、従来のカメラ付きドアホン子器の化粧パネルの一部を取り去った状態を概略的に示す平面図である。
【図１５】図１３に示す、従来のカメラ付きドアホン子器の視野角調整装置を中心にして概略的に示す縦断面図であり、化粧パネル１０２を取り去った状態を示している。
【図１６】図１３に示す、従来のカメラ付きドアホン子器の視野角調整装置を中心にして概略的に示す横断面図である。
【符号の説明】
１  カメラ付きドアホン子器
２  化粧パネル
３  本体カバー部
３ａ  表面側本体カバー部
３ｂ  裏面側本体カバー部
４  呼出ボタン
５  マイク
６  スピーカ
７  カメラ窓
８  カメラカバー
１１  レンズ角度調整装置（視野角調整装置）
１２  カメラ
１８  回路基板
２１  レンズホルダー
２１ａ、２１ｂ  回転軸
２２  角度調整軸
２１ｃ  底板部
Ｗ２１ａ、Ｗ２１ｂ  起立壁
３１  レンズ角度調整レバー
３２  調整レバー本体部
３３  操作レバー片
３４  嵌合突起
３５  台座部
ｈ５  長孔
ｎ  複数の嵌合凹部列
【図１】
0003682572.tif 000002
【図２】
0003682572.tif 000003
【図３】
0003682572.tif 000004
【図４】
0003682572.tif 000005
【図５】
0003682572.tif 000006
【図６】
0003682572.tif 000007
【図７】
0003682572.tif 000008
【図８】
0003682572.tif 000009
【図９】
0003682572.tif 000010
【図１０】
0003682572.tif 000011
【図１１】
0003682572.tif 000012
【図１２】
0003682572.tif 000013
【図１３】
0003682572.tif 000014
【図１４】
0003682572.tif 000015
【図１５】
0003682572.tif 000016
【図１６】
0003682572.tif 000017